(57)【要約】  照明器具（１００）は、可撓性を有し電力が供給されることによって発光する発光面（３３）が表面（３１）に設けられたシート状の照明パネル（３０）と、照明パネル（３０）を載置する載置面（１５）を含む本体（１０）と、本体（１０）に取り付けられ照明パネル（３０）の発光面（３３）を本体（１０）の載置面（１５）に対して押し付ける押圧領域（２５）を有する取付カバー（２０）と、を備える。照明器具（１００）によれば、シート状の照明パネル（３０）における所望の配光特性を実現することができる。
2012114887.tif 000002
【特許請求の範囲】
【請求項１】
可撓性を有し、電力が供給されることによって発光する発光面（３３）が表面（３１）に設けられたシート状の照明パネル（３０）と、
前記照明パネル（３０）を載置する載置面（１５）を含む本体（１０）と、
前記本体（１０）に取り付けられ、前記照明パネル（３０）の前記発光面（３３）を前記本体（１０）の前記載置面（１５）に対して押し付ける押圧領域（２５）を有する取付カバー（２０）と、を備える、
照明装置。
【請求項２】
前記押圧領域（２５）は透明性を有する部材を含み、
前記押圧領域（２５）は、前記発光面（３３）の全体を前記載置面（１５）に対して押し付ける、
請求項１に記載の照明装置。
【請求項３】
前記押圧領域（２５）は、前記発光面（３３）の一部を前記載置面（１５）に対して押し付ける、
請求項１に記載の照明装置。
【請求項４】
前記押圧領域（２５）は、格子状に形成されている、
請求項３に記載の照明装置。
【請求項５】
前記本体（１０）の前記載置面（１５）上に、電源からの電力の供給を受けるための第１電気接点（４１）が設けられ、
前記照明パネル（３０）の裏面（３２）上に、前記第１電気接点（４１）から電力の供給を受けて、前記照明パネル（３０）の前記発光面（３３）に電力を供給するための第２電気接点（４２）が設けられ、
前記第１電気接点（４１）および前記第２電気接点（４２）は、前記照明パネル（３０）が前記本体（１０）に取り付けられた際に相互に接触する位置にそれぞれ配置されている、
請求項１に記載の照明装置。
【請求項６】
前記第２電気接点（４２）は、前記照明パネル（３０）の前記裏面（３２）上における周縁に沿って所定の長さで延在するように設けられている、
請求項５に記載の照明装置。
【請求項７】
前記照明パネル（３０）の周縁には第１ガイド部（３７）が設けられ、
前記取付カバー（２０）には前記第１ガイド部（３７）に対応する形状を有する第２ガイド部（２７）が設けられ、
前記第１ガイド部（３７）が前記第２ガイド部（２７）に対応するように配置された状態で、前記照明パネル（３０）は前記取付カバー（２０）に取り付けられる、
請求項１に記載の照明装置。
【請求項８】
前記取付カバー（２０）の周縁には、前記押圧領域（２５）上に載置された前記照明パネル（３０）を仮固定する仮固定部（２６）が設けられている、
請求項１に記載の照明装置。
【請求項９】
前記本体（１０）の前記照明パネル（３０）側の面には環状溝（１６）が設けられ、
前記取付カバー（２０）の前記照明パネル（３０）側の面には嵌込部（２３）が設けられ、
前記環状溝（１６）に前記嵌込部（２３）を嵌め込むことによって、前記本体（１０）に対して前記取付カバー（２０）が固定され、前記押圧領域（２５）が前記照明パネル（３０）を前記載置面（１５）に対して押し付ける、
請求項１に記載の照明装置。
【請求項１０】
前記取付カバー（２０）の一部は、前記本体（１０）に固定されている、
請求項１に記載の照明装置。
【請求項１１】
前記取付カバー（２０）は、前記本体（１０）に固定されている部分を中心に回動可能であり、
前記取付カバー（２０）と前記本体（１０）との角度が所定の値以下となるように前記取付カバー（２０）の回動を規制する規制部材（２４，２４Ａ）をさらに備える、
請求項１０に記載の照明装置。
【請求項１２】
前記本体（１０）の前記載置面（１５）は、相互に対向する第１端部（１１）および第２端部（１２）を含み、前記第１端部（１１）から前記第２端部（１２）に向かって凹状に湾曲した形状を有し、
前記取付カバー（２０）は、前記照明パネル（３０）が前記本体（１０）に取り付けられた状態において、前記第１端部（１１）および前記第２端部（１２）の間において前記載置面（１５）に沿うように弾性変形することによって、前記取付カバー（２０）の前記押圧領域（２５）が、前記照明パネル（３０）の前記発光面（３３）を前記載置面（１５）に対して押し付ける、
請求項１に記載の照明装置。
【請求項１３】
前記取付カバー（２０）の一部は、前記本体（１０）に固定されている、
請求項１２に記載の照明装置。
【請求項１４】
前記照明パネル（３０）の前記発光面（３３）は、有機ＥＬ素子から構成される、
請求項１に記載の照明装置。
【発明の詳細な説明】
【技術分野】
【０００１】
本発明は、照明装置に関し、特に、シート状の照明パネルを備えた照明装置に関する。
【背景技術】
【０００２】
近年、白熱電球またはＬＥＤ（Light  Emitting  Diode）などの点発光型の照明装置に代わり、照明パネルを備えた面発光型の照明装置が注目される。特開２００４−０５５５３５号公報（特許文献１）には、照明パネルとして、有機ＥＬ（ＯＬＥＤ：Organic  Light  Emitting  Diode）を備えた照明装置が開示される。【０００３】
特開２００４−０５５５３５号公報（特許文献１）の照明装置においては、照明パネル（ＯＬＥＤ）がシート状に形成される。このシート状の照明パネルは、本体（支持体）の表面に取り付けられる。このシート状の照明パネルは、本体の表面形状に沿うように変形した状態で、接着剤またはクリップ等を使用して本体表面に取り付けられる。
【先行技術文献】
【特許文献】
【０００４】
【特許文献１】特開２００４−０５５５３５号公報
【発明の概要】
【発明が解決しようとする課題】
【０００５】
特開２００４−０５５５３５号公報（特許文献１）の照明装置においては、照明パネルの配光特性については配慮されていない。当該文献の照明装置においては、照明パネルからの照射方向に応じて、光の強さにばらつきが生じる虞がある。【０００６】
本発明は、シート状の照明パネルを備えた照明装置であって、照明パネルにおける所望の配光特性を実現することが可能な照明装置を提供することを目的とする。
【課題を解決するための手段】
【０００７】
本発明に基づく照明装置は、可撓性を有し、電力が供給されることによって発光する発光面が表面に設けられたシート状の照明パネルと、上記照明パネルを載置する載置面を含む本体と、上記本体に取り付けられ、上記照明パネルの上記発光面を上記本体の上記載置面に対して押し付ける押圧領域を有する取付カバーと、を備える。
【発明の効果】
【０００８】
本発明によれば、シート状の照明パネルを備えた照明装置であって、照明パネルにおける所望の配光特性を実現することが可能な照明装置を得ることができる。
【図面の簡単な説明】
【０００９】
【図１】実施の形態１における照明装置の分解した状態を示す斜視図である。
【図２】図１中のＩＩ−ＩＩ線に沿った矢視断面図である。
【図３】図１中のＩＩＩ−ＩＩＩ線に沿った矢視断面図である。
【図４】図１中のＩＶ−ＩＶ線に沿った矢視断面図である。
【図５】実施の形態１における照明装置に用いられる照明パネルの平面図である。
【図６】実施の形態１における照明装置に用いられる照明パネルの底面図である。
【図７】実施の形態１における照明装置の組み立てられた状態を示す斜視図である。
【図８】実施の形態１における照明装置に用いられる保持部材の変形例を示す断面図である。
【図９】実施の形態１における照明装置が天井に取り付けられる前の状態を示す断面図である。
【図１０】実施の形態１における照明装置が天井に取り付けられた後の状態を示す断面図である。
【図１１】実施の形態１の第１変形例における照明装置に用いられる取付カバーを示す斜視図である。
【図１２】実施の形態１の第２変形例における照明装置に用いられる取付カバーを示す平面図である。
【図１３】実施の形態１の第３変形例における照明装置を示す断面図である。
【図１４】実施の形態１の第３変形例における照明装置の他の構成を示す側面図（取付カバーが本体に取り付けられる前の状態）である。
【図１５】実施の形態１の第３変形例における照明装置の他の構成を示す側面図（取付カバーが本体に取り付けられた後の状態）である。
【図１６】実施の形態１の第３変形例における照明装置のさらに他の構成を示す側面図（取付カバーが本体に取り付けられた後の状態）である。
【図１７】実施の形態１の第３変形例における照明装置のさらに他の構成を示す側面図（取付カバーが本体に取り付けられる前の状態）である。
【図１８】実施の形態１の第４変形例における照明装置に用いられる照明パネルを示す底面図である。
【図１９】実施の形態１の第５変形例における照明装置に用いられる照明パネルを示す底面図である。
【図２０】実施の形態１の第６変形例における照明装置に用いられる取付カバーを示す底面図である。
【図２１】図２０中のＸＸＩ−ＸＸＩ線に沿った矢視断面図である。
【図２２】実施の形態１の第６変形例における照明装置に用いられる取付カバーの押圧領域上に照明パネルが載置された状態を示す底面図である。
【図２３】図２２中のＸＸＩＩＩ−ＸＸＩＩＩ線に沿った矢視断面図である。
【図２４】実施の形態１の第７変形例における照明装置に用いられる取付カバーを示す底面図である。
【図２５】図２４中のＸＸＶ−ＸＸＶ線に沿った矢視断面図である。
【図２６】実施の形態１の第７変形例における照明装置に用いられる取付カバーの押圧領域上に照明パネルが載置された状態を示す底面図である。
【図２７】図２６中のＸＸＶＩＩ−ＸＸＶＩＩ線に沿った矢視断面図である。
【図２８】実施の形態１の第７変形例における照明装置に用いられる取付カバー（仮固定部）の他の構成を示す断面図である。
【図２９】実施の形態１の第８変形例における照明装置に用いられる取付カバーを示す底面図である。
【図３０】実施の形態１の第８変形例における照明装置に用いられる取付カバーのガイド部付近を示す斜視図である。
【図３１】実施の形態１の第８変形例における照明装置に用いられる照明パネルを示す底面図である。
【図３２】実施の形態１の第９変形例における照明装置に用いられる取付カバーを示す底面図である。
【図３３】実施の形態１の第９変形例における照明装置に用いられる照明パネルを示す底面図である。
【図３４】実施の形態１の第１０変形例における照明装置に用いられる取付カバーを示す底面図である。
【図３５】実施の形態１の第１０変形例における照明装置に用いられる照明パネルを示す底面図である。
【図３６】実施の形態２における照明装置に用いられる本体および取付カバーを示す正面図である。
【図３７】図３６中のＸＸＸＶＩＩ−ＸＸＸＶＩＩ線に沿った矢視断面図である。
【図３８】実施の形態２における照明装置の組み立てられた状態を示す正面図である。
【図３９】図３８中のＸＸＸＩＸ−ＸＸＸＩＸ線に沿った矢視断面図である。
【図４０】実施の形態２の変形例における照明装置を示す正面図である。
【図４１】図４０中のＸＬＩ−ＸＬＩ線に沿った矢視断面図である。
【発明を実施するための形態】
【００１０】
本発明に基づいた各実施の形態について、以下、図面を参照しながら説明する。各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。特に制限が無い限り、各実施の形態に示す構成を適宜組み合わせて用いることは、当初から予定されていることである。
【００１１】
［実施の形態１］
図１は、本実施の形態における照明装置１００の分解した状態（組み立てられる前の状態）を示す斜視図である。照明装置１００は、本体１０、取付カバー２０、および照明パネル３０を備える。矢印ＡＲ１に示すように、取付カバー２０は、本体１０とともに照明パネル３０を挟み込むように、本体１０に取り付けられる（詳細は後述する）。
【００１２】
（本体１０）
図２は、図１中のＩＩ−ＩＩ線に沿った矢視断面図である。図３は、図１中のＩＩＩ−ＩＩＩ線に沿った矢視断面図である。図１〜図３に示すように、本体１０は平板状に形成され、端部１１〜端部１４および載置面１５を有する。本体１０は、裏面（載置面１５の反対面）側を利用して、天井（図示せず）または壁面（図示せず）等に固定されることができる。本体１０は、たとえばアルミニウムまたはステンレス等から、プレス加工または切削加工等によって製造される。本体１０の厚さは、たとえば２ｃｍ〜１０ｃｍである。
【００１３】
本体１０には、載置面１５上の周縁に沿って、所定の深さを有する環状溝１６（図１〜図３参照）が凹設される。詳細は後述されるが、環状溝１６の形状は、取付カバー２０における嵌込部２３（図１および図４参照）の形状に対応している。照明装置１００が組み立てられた状態においては、取付カバー２０の嵌込部２３が、本体１０の環状溝１６内に嵌め込まれる。
【００１４】
図１および図３に示すように、載置面１５上の所定の位置には、２つの切込部１９が相互に並んで凹設される。切込部１９内のそれぞれに、一対の電気接点４１（第１電気接点）が設けられる。電気接点４１は、照明パネル３０が本体１０に取り付けられた際に、照明パネル３０の電気接点４２（図６参照）と接触可能な位置に配設される。
【００１５】
図３に示すように、切込部１９内に設けられる電気接点４１は、載置面１５から板バネ状に突出するように固定されるとよい。当該構成によれば、照明パネル３０が本体１０に取り付けられた際、照明パネル３０の電気接点４２（図６参照）と本体１０の電気接点４１との良好な電気的接続が得られる。電気接点４１は、本体１０を貫通して所定の電源装置（図示せず）に接続される（図３参照）。
【００１６】
図１および図２に示すように、対向する端部１１および端部１２には、２つの支持具１８がそれぞれ並んで設けられる。支持具１８には、Ｌ字状の保持部材１７が回動可能に取り付けられる。支持具１８の内部にはコイルバネ等の付勢手段が内蔵される。支持具１８に取り付けられた保持部材１７は、コイルバネ等の付勢手段の作用によって、載置面１５側に向かって回転するように矢印ＡＲ２（図２参照）方向に付勢される。
【００１７】
（取付カバー２０）
図４は、図１中のＩＶ−ＩＶ線に沿った矢視断面図である。図１および図４に示すように、取付カバー２０は平板部２１および嵌込部２３を有する。嵌込部２３は、平板部２１の外周に環状に立設される。上述のとおり、嵌込部２３の形状は、本体１０における環状溝１６（図１参照）の形状に対応している。
【００１８】
平板部２１の内周側には、ガラスまたはアクリル樹脂等から構成される矩形状の透明板２２（透明性を有する部材）が設けられる。透明板２２の厚さはたとえば２ｍｍ〜３ｍｍである。透明板２２の裏面側（嵌込部２３が立設される側）に押圧領域２５が規定される。押圧領域２５の表面形状（透明板２２の裏面形状）は、載置面１５の表面形状に対応している。照明装置１００が組み立てられた状態においては、押圧領域２５は照明パネル３０の発光面３３の全体を、本体１０の載置面１５に対して押し付ける。
【００１９】
（照明パネル３０）
図５は、照明パネル３０の平面図である。図６は、照明パネル３０の底面図である。照明パネル３０は、可撓性を有するシート状に形成される（図１、図５および図６を参照）。照明パネル３０の厚さはたとえば約１ｍｍである。ここで、シート状とは、厚さ０．５ｍｍ〜１０ｍｍ程度、好ましくは０．５ｍｍ〜１ｍｍ程度のほぼ均一の厚さを有した平面状のものを意味し、フィルム状または薄板状と称される厚さのものも含む。
【００２０】
照明パネル３０の表面３１には、電力が供給されることによって発光する矩形状の発光面３３が形成される。発光面３３は、たとえば有機ＥＬ（ＯＬＥＤ：Organic  Light  Emitting  Diode）素子から構成されることができる。照明パネル３０の裏面３２には、発光面３３に電力を供給するための一対の電気接点４２（第２電気接点）が設けられる。
【００２１】
発光面３３が有機ＥＬ素子から構成される場合、発光面３３内の有機発光層の両面に電力が供給される。電力の供給によって、有機発光層は可視光を発光する。発光面３３側（表面３１側）には、有機発光層上に透明電極層（ＩＴＯなど）が設けられ、透明電極層上は封止層によって密閉される。有機発光層の下（裏面３２側）には、発光した光を反射するためのたとえばアルミニウム製の電極層が設けられる。電極層の下（裏面３２側）にはベース層が設けられる。有機発光層の上下面からは、裏面３２に設けられた一対の電気接点４２に向かって所定のパターンが配線される。
【００２２】
図７は、照明装置１００の組み立てられた状態（組み立てられた後の状態）を示す斜視図である。照明装置１００が組み立てられる際には、本体１０および取付カバー２０が照明パネル３０を挟んで対向配置される（図１および図７を参照）。本体１０の保持部材１７は、起立するように矢印ＡＲ２（図２参照）とは反対方向に回動される。たとえば図示しないラッチ機構を用いた掛止によって、コイルバネ等の付勢力に対抗して保持部材１７の起立状態が保持される。
【００２３】
次に、取付カバー２０の嵌込部２３が、本体１０の環状溝１６に嵌め込まれる。照明パネル３０は、取付カバー２０の透明板２２（押圧領域２５）と本体１０の載置面１５とによって挟み込まれる。その後、ラッチ機構の掛止は、図示しない解除レバーまたは解除ボタンなどが操作されることにより解除される。これに伴い、ラッチ機構の掛止によって保持されていた保持部材１７の起立状態も解除される。保持部材１７は、コイルバネ等による付勢によって矢印ＡＲ２（図２参照）方向に回動する。保持部材１７は、取付カバー２０の平板部２１を載置面１５側に向かって押し付ける。
【００２４】
保持部材１７による押し付けによって、取付カバー２０および照明パネル３０は、本体１０に取り付けられる。押圧領域２５（図１および図４参照）は、発光面３３を載置面１５側に押し付ける。以上のようにして、図７に示す照明装置１００が得られる。照明装置１００においては、本体１０に設けられた電気接点４１（図１参照）および照明パネル３０に設けられた電気接点４２（図６参照）を通して、外部の電源装置（図示せず）から照明パネル３０の発光面３３に電力が供給される。電力の供給によって発光面３３が発光し、照明装置１００は照明することが可能となる。
【００２５】
図２等を参照して説明した上記の形態においては、照明パネル３０を本体１０に取り付ける際に、保持部材１７が、１つずつ矢印ＡＲ２とは反対方向に回動される。ラッチ機構の掛止によって保持部材１７を起立させた状態で、照明パネル３０が本体１０に取り付けられる。その後、ラッチ機構の掛止が解除され、コイルバネ等の矢印ＡＲ２方向の付勢力によって、照明パネル３０が本体１０に固定されている。照明パネル３０を本体１０に取り付ける形態としては、上記のような図２等に示す形態に限られず、図８に示すような保持部材１７Ａを用いた構成が採用されてもよい。
【００２６】
図８に示す形態においては、照明パネル３０および取付カバー２０を本体１０に取り付ける際に、保持部材１７Ａを１つずつ手動で矢印ＡＲ２と反対方向に回動する必要が無い。具体的には、保持部材１７Ａの先端部１７Ｔは、取付カバー２０の嵌込部２３を受け入れ可能なように傾斜している。本体１０上の所定の取付位置に向かって取付カバー２０および照明パネル３０を押し込むことによって、取付カバー２０の嵌込部２３が、保持部材１７Ａの先端部１７Ｔに接触する。
【００２７】
この際、取付カバー２０の嵌込部２３は、保持部材１７Ａを矢印ＡＲ２とは反対方向に向かって押圧する。保持部材１７Ａは、コイルバネ１７Ｃの付勢力に対向して矢印ＡＲ２とは反対方向に回動する。保持部材１７Ａは、取付カバー２０の嵌込部２３が保持部材１７Ａの先端部１７Ｔを乗り越えた時点（取付カバー２０の嵌込部２３が保持部材１７Ａの先端部１７Ｔに当接しなくなった時点）で、コイルバネ１７Ｃの付勢力にしたがって矢印ＡＲ２方向に回動する。照明パネル３０および取付カバー２０は、保持部材１７Ａに設けられた係合部１７Ｋによって本体１０に対して押さえ付けられる。図８に示す構成によれば、照明パネル３０および取付カバー２０は、本体１０に対して容易に取り付けられることができる。
【００２８】
（作用・効果）
図１に示すように、シート状の照明パネル３０は、その初期ひずみ（製造時や運搬時の形態による反り等のひずみ）や、また、その取付態様によっては、照明パネル３０自身の重さ（自重）によって重力方向に撓む場合がある。本実施の形態における照明装置１００によれば、照明パネル３０の発光面３３が、取付カバー２０の押圧領域２５によって載置面１５に押し付けられる。発光面３３は、押圧領域２５と載置面１５とによって挟みこまれた状態でその形状が保持される。
【００２９】
ここで、冒頭に説明した特開２００４−０５５５３５号公報（特許文献１）の照明装置においては、シート状の照明パネルが、本体（支持体）の表面に取り付けられる。特許文献１におけるシート状の照明パネルは、一方の面が本体に当接され、他方の面は他の部材に当接されず、発光面として露出している（いわゆる、片当たりの取り付け構造となっている）。天井または壁面等に特許文献１の照明装置が取り付けられた場合、照明パネルはその自重によって撓むことがある。特許文献１の照明装置はいわゆる片当たりの取付構造を採用しているため、照明装置の取り付け後においてもこの撓みが残存する。
【００３０】
本実施の形態における照明装置１００は、天井または壁面等に取り付けられたとしても、押圧領域２５から受ける押圧によって発光面３３は撓むことがない。したがって、取付カバー２０の押圧領域２５および本体１０の載置面１５の形状を発光面３３の所望の形状に対応するように形成し、取付カバー２０と発光面３３とで照明パネル３０を挟み込むように構成することによって、発光面３３は、予め設計によって定められた形状を保持することが可能となる。発光面３３は、予め設計によって定められた配光特性を実現することが可能となり、発光面３３からの照射方向に応じて、光の強さにばらつき（ムラ）が生じる虞もない。
【００３１】
特許文献１の照明装置においては、本体（支持体）に予め照明パネルを取り付けるための保持部が所定の間隔を空けて設けられる。これに対応するように、照明パネルの両端にも、クリップなどが予め設けられる。保持部同士の間隔と照明パネルの両端に設けられるクリップの間隔とは、製造上の誤差などによって一致しない場合がある。照明パネルがシート状に形成される場合、照明パネル自身の性状によって製造上の誤差が生じやすい。保持部同士の間隔とクリップの間隔とが異なる場合、照明パネルにシワが発生した状態で、照明パネルが本体に取り付けられる虞がある。
【００３２】
本実施の形態の照明装置１００においては、照明パネル３０が本体１０および取付カバー２０によって挟み込まれることで固定される。照明パネル３０が、たとえば長手方向において予め設計された寸法と異なる寸法で製造された場合であっても、照明パネル３０は表裏面からの押圧によって本体１０および取付カバー２０に対して固定されるため、シワが発生することがない。照明装置１００によれば、この観点においても所望の配光特性を実現することが可能となる。
【００３３】
図９および図１０を参照して、照明装置１００（図１０参照）が天井５０に取り付けられる場合について説明する。なお、図９および図１０においては、保持部材１７および支持具１８が、図１に示すそれらの位置から９０°ずれた位置に取り付けられるという態様が図示される。保持部材１７および支持具１８の取付位置としては、図１に示す位置（保持部材１７および支持具１８が、端部１１および端部１２に取り付けられる構成）であっても、図９および図１０に示す位置（保持部材１７および支持具１８が、端部１３および端部１４に取り付けられる構成）であってもかまわない。
【００３４】
照明装置１００（図１０参照）が天井５０に取り付けられる場合、まず本体１０がボルトおよびナット等によって天井５０に固定される。次に、取付カバー２０の押圧領域２５側に、発光面３３を下にして照明パネル３０が載置される。この状態で、矢印ＡＲ３に示すように、取付カバー２０の嵌込部２３が本体１０の環状溝１６に嵌め込まれる。ここで、図９に示すように、シート状の照明パネル３０には、製造時の残留応力等によって反りが生じていることがある。
【００３５】
本実施の形態における照明装置１００によれば、照明パネル３０は、本体１０および取付カバー２０によって挟み込まれることで固定される。照明パネル３０に反りが生じていたとしても、照明装置１００が組み立てられた状態においては、当該反りは押圧領域２５と載置面１５とによる照明パネル３０に対する押圧によって矯正される。発光面３３は、載置面１５および押圧領域２５（透明板２２）の形状に沿って変形（矯正）される。その結果、発光面３３は、予め設計によって定められた形状に保持され、所望の配光特性を実現することが可能となる。
【００３６】
［実施の形態１の変形例］
（第１変形例）
図１１は、上述の実施の形態１の第１変形例における照明装置に用いられる取付カバー２０Ａを示す斜視図である。本変形例における取付カバー２０Ａのように、平板部２１の内周側には、複数の貫通孔２２Ａが設けられていてもよい。取付カバー２０Ａには、上述の実施の形態１における取付カバー２０とは異なり透明板２２は設けられない。貫通孔２２Ａは、平板部２１をくりぬくように形成され、各貫通孔２２Ａはたとえば格子状に配列される。
【００３７】
平板部２１がくり抜かれずに残存した部分の裏面側に、押圧領域２５が規定される。本変形例における押圧領域２５は、各貫通孔２２Ａの形状に対応して格子状に形成される。照明パネル３０の反りを矯正するという目的のためには、押圧領域２５は、本実施の形態における格子状に形成された部分を有する取付カバー２０Ａのように、発光面３３の全体に対して均等に配置されていることが望ましい。これに対して、押圧領域２５は、必ずしも発光面３３の全体に対して均等に配置されていなくてもよく、発光面３３の一部を押圧可能で、照明パネル３０の反りをある程度矯正可能であれば多少偏在するように形成されていてもよく、意匠上などの観点から他の形状に形成されてもよい。取付カバー２０Ａが本変形例における照明装置として組み立てられた状態においては、貫通孔２２Ａの内部から照明パネル３０（図１参照）の発光面３３（図１参照）が直接露出する。
【００３８】
押圧領域２５が発光面３３の一部を載置面１５に対して格子状に押し付けることによって、発光面３３は予め設計で定められた形状を保持することが可能となる。結果として、取付カバー２０Ａによっても、発光面３３は、予め設計によって定められた配光特性を実現することが可能となり、発光面３３からの照射方向に応じて、光の強さにばらつき（ムラ）が生じる虞もない。
【００３９】
（第２変形例）
図１２は、上述の実施の形態１の第２変形例における照明装置に用いられる取付カバー２０Ｂを示す平面図である。本変形例における取付カバー２０Ｂにおいては、平板部２１の内周側にワイヤー２２Ｂが取り付けられる。取付カバー２０Ｂには、上述の実施の形態１における取付カバー２０とは異なり透明板２２は設けられない。透明板２２の代わりに、ワイヤー２２Ｂがたとえば図１２に示すように格子状に取り付けられる。
【００４０】
ワイヤー２２Ｂの裏面側に、押圧領域２５が規定される。上述の実施の形態１の第１変形例における貫通孔２２Ａと同様に、押圧領域２５（ワイヤー２２Ｂ）は、発光面３３一部を押圧可能であれば意匠上の観点から他の形状に配列されてもよい。
【００４１】
取付カバー２０Ｂが本変形例における照明装置として組み立てられた状態においては、ワイヤー２２Ｂ同士の間から照明パネル３０（図１参照）の発光面３３（図１参照）が直接露出する。押圧領域２５が発光面３３の一部を載置面１５に対して格子状に押し付けることによって、発光面３３は予め設計で定められた形状を保持することが可能となる。結果として、取付カバー２０Ｂによっても、発光面３３は、予め設計によって定められた配光特性を実現することが可能となり、発光面３３からの照射方向に応じて、光の強さにばらつき（ムラ）が生じる虞もない。
【００４２】
（第３変形例）
図１３は、上述の実施の形態１の第３変形例における照明装置を示す断面図である。本変形例における照明装置に用いられる取付カバー２０Ｃは、支持具１８Ａによって一部（ここでは取付カバー２０Ｃの一端側）が予め本体１０に対して固定されている。取付カバー２０Ｃは支持具１８Ａを中心に回動可能であり、取付カバー２０Ｃの他端側における嵌込部２３は、矢印ＡＲ４に示すように環状溝１６に嵌め込まれることができる。
【００４３】
本変形例における照明装置のように、取付カバー２０Ｃが予め（常時）本体１０に対して取り付けられていることによって、照明パネル３０を取り付ける際および照明パネル３０を取り替える際における作業者の利便性を向上させることが可能となる。
【００４４】
図１４に示す取付カバー２０Ｃ１のように、取付カバー２０Ｃ１と本体１０との間に規制部材２４が設けられていてもよい。規制部材２４は、２枚の薄平板状の部材が連結されることによって構成される。規制部材２４は、紐状の部材であってもよい。図１４に示すように、規制部材２４は、本体１０および取付カバー２０Ｃ１の側面に沿って設けられるとよい。規制部材２４は、取付カバー２０Ｃ１が支持具１８Ａを中心に回動する際に、取付カバー２０Ｃ１が本体１０に対して開きすぎることを規制する。規制部材２４の配設によって、本体１０に対する取付カバー２０Ｃ１の角度が所定の値に保持された状態で、照明パネル３０を取付カバー２０Ｃ１上に容易に載置することが可能となる。
【００４５】
図１５に示すように、取付カバー２０Ｃ１が本体１０に対して取り付けられた際には、規制部材２４は本体１０および取付カバー２０Ｃ１の側面に沿って折れ曲がる。規制部材２４が本体１０および取付カバー２０Ｃ１の側面に設けられていることによって、照明パネル３０の取り付け作業または取り外し作業は規制部材２４によって妨げられず、当該作業中における利便性を一層向上させることが可能となる。
【００４６】
図１６に示す取付カバー２０Ｃ２のように、取付カバー２０Ｃ２が本体１０に対して開きすぎることを規制する手段としては、規制部材２４Ａが設けられていてもよい。規制部材２４Ａは、支持具１８Ａに取り付けられる側の取付カバー２０Ｃ２の端部に設けられる。図１７に示すように、規制部材２４Ａは、取付カバー２０Ｃ２が支持具１８Ａを中心に回動することによって天井５０に当接し、取付カバー２０Ｃ２が本体１０に対して開きすぎることを規制する。当該構成によっても、上述の規制部材２４（図１４および図１５参照）と同様の効果を得ることが可能となる。
【００４７】
（第４変形例）
図１８は、上述の実施の形態１の第４変形例における照明装置に用いられる照明パネル３０Ａを示す底面図である。図１８は、上述の実施の形態１における図６に対応している。本変形例における照明パネル３０Ａにおいては、一対の電気接点４２が、照明パネル３０の裏面３２上における周縁に沿って所定の長さで延在するように設けられる。
【００４８】
一方、本体１０（図示せず）に設けられる電気接点４１（図示せず）も、電気接点４２の位置に対応するように、載置面１５（図示せず）上の所定の位置に配置される。載置面１５上における電気接点４１に対して電気接点４２が十分な長さを有していることによって、照明パネル３０Ａが若干ずれて固定された場合であっても、電気接点４１および電気接点４２間の良好な電気的接続が得られる。
【００４９】
（第５変形例）
図１９は、上述の実施の形態１の第５変形例における照明装置に用いられる照明パネル３０Ｂを示す底面図である。図１９は、上述の実施の形態１における図６に対応している。本変形例における照明パネル３０Ｂにおいては、一対の正極側の電気接点４２（４２Ａ）が、照明パネル３０Ｂの裏面３２上における対向する周縁に沿って所定の長さで延在するように設けられる。
【００５０】
同様に、一対の負極側の電気接点４２（４２Ｂ）が、照明パネル３０Ｂの裏面３２上における対向する他の周縁に沿って所定の長さで延在するように設けられる。照明パネル３０Ｂのように、正極側の電気接点４２（４２Ａ）と負極側の電気接点４２（４２Ｂ）とが２つずつ裏面３２上に配設されてもよい。
【００５１】
上述の実施の形態１の第４変形例の場合において、電気接点４２の位置に対応するように電気接点４１が載置面１５上の所定の位置に配設されていることと同様に、第５変形例においても、本体１０（図示せず）に設けられる電気接点４１（図示せず）は、正極側の電気接点４２（４２Ａ）および負極側の電気接点４２（４２Ｂ）にそれぞれ対応するように、載置面１５（図示せず）上の所定の位置に配設される。載置面１５上におけるそれぞれの電気接点４１に対して、正極側の電気接点４２（４２Ａ）と負極側の電気接点４２（４２Ｂ）とが十分な長さを有していることによって、照明パネル３０Ｂが若干ずれて固定された場合であっても、電気接点４１、電気接点４２（４２Ａ）、および電気接点４２（４２Ｂ）間の良好な電気的接続が得られる。
【００５２】
（第６変形例）
図２０〜図２３を参照して、上述の実施の形態１の第６変形例における照明装置について説明する。図２０は、本変形例における照明装置に用いられる取付カバー２０Ｄを示す底面図である。図２１は、図２０中のＸＸＩ−ＸＸＩ線に沿った矢視断面図である。図２２は、取付カバー２０Ｄの押圧領域２５上に照明パネル３０が載置された状態を示す底面図である。図２３は、図２２中のＸＸＩＩＩ−ＸＸＩＩＩ線に沿った矢視断面図である。
【００５３】
図２０および図２１に示すように、取付カバー２０Ｄにおいては、その周縁（ここでは嵌込部２３の立設方向先端）に、仮固定部２６が設けられる。取付カバー２０Ｄにおける仮固定部２６は、矩形環状に形成される嵌込部２３の一辺上に２つ並んで設けられ、平面視したときに押圧領域２５に一部が重なるように所定の長さで延在する。仮固定部２６と押圧領域２５とは、間隔Ｌ１（図２１参照）を空けて離れている。なお、仮固定部２６の配設に伴って、本体１０（図示せず）の載置面１５（図示せず）上に設けられる環状溝１６（図示せず）の形状も、仮固定部２６の形状に合わせて変形するとよい。
【００５４】
図２２および図２３に示すように、取付カバー２０Ｄの押圧領域２５上に照明パネル３０が載置される際、照明パネル３０の端部（厚さＬ２の部分）は、仮固定部２６と押圧領域２５との間に差し込まれる（厚さＬ２＜間隔Ｌ１）。照明パネル３０は、取付カバー２０Ｄに対して仮固定される。当該仮固定によって、照明パネル３０の取付カバー２０Ｄからの脱落（離脱）が抑制され、照明パネル３０を取り付ける際および照明パネル３０を取り替える際における作業者の利便性を向上させることが可能となる。
【００５５】
（第７変形例）
図２４〜図２７を参照して、上述の実施の形態１の第７変形例における照明装置について説明する。図２４は、本変形例における照明装置に用いられる取付カバー２０Ｅを示す底面図である。図２５は、図２４中のＸＸＶ−ＸＸＶ線に沿った矢視断面図である。図２６は、取付カバー２０Ｅの押圧領域２５上に照明パネル３０が載置された状態を示す底面図である。図２７は、図２６中のＸＸＶＩＩ−ＸＸＶＩＩ線に沿った矢視断面図である。
【００５６】
図２４および図２５に示すように、取付カバー２０Ｅにおいては、その周縁（ここでは嵌込部２３の立設方向先端）に、仮固定部２６が設けられる。取付カバー２０Ｅにおける仮固定部２６は、矩形環状に形成される嵌込部２３の対向する二辺上に２つ並んで設けられ、平面視したときに押圧領域２５に一部が重なるように所定の長さで延在する。仮固定部２６と押圧領域２５とは、間隔Ｌ１（図２５参照）を空けて離れている。なお、仮固定部２６の配設に伴って、本体１０（図示せず）の載置面１５（図示せず）上に設けられる環状溝１６（図示せず）の形状も、仮固定部２６の形状に合わせて変形するとよい。
【００５７】
図２６および図２７に示すように、取付カバー２０Ｅの押圧領域２５上に照明パネル３０が載置される際、照明パネル３０の端部（厚さＬ２の部分）は、仮固定部２６と押圧領域２５との間に差し込まれる（厚さＬ２＜間隔Ｌ１）。上述の第６変形例（図２０〜図２３参照）における取付カバー２０Ｄと同様に、照明パネル３０は取付カバー２０Ｅに対して仮固定される。当該仮固定によって照明パネル３０の取付カバー２０Ｅからの脱落（離脱）が抑制され、照明パネル３０を取り付ける際および照明パネル３０を取り替える際における作業者の利便性を向上させることが可能となる。
【００５８】
図２８に示すように、仮固定部２６は、嵌込部２３の立設方向先端を中心として図２８中の矢印方向に示すように照明パネル３０に向かって回動可能に構成されていてもよい。照明パネル３０を取付カバー（取付カバー２０Ｅ）上に載置する際、仮固定部２６を起立させておく（図２８に示す状態）ことによって、照明パネル３０を取付カバー（取付カバー２０Ｅ）上に容易に載置することが可能となる。照明パネル３０の載置後、仮固定部２６を照明パネル３０に向かって回動することにより、照明パネル３０を固定する。上述の第６変形例（図２０〜図２３参照）における仮固定部２６も同様に、嵌込部２３の立設方向先端を中心として照明パネル３０に向かって回動可能に構成されているとよい。
【００５９】
（第８変形例）
図２９〜図３１を参照して、上述の実施の形態１の第８変形例における照明装置について説明する。図２９は、本変形例における照明装置に用いられる取付カバー２０Ｆを示す底面図である。図３０は、取付カバー２０Ｆのガイド部２７（詳細は後述する）付近を示す斜視図である。図３１は、本変形例における照明装置に用いられる照明パネル３０Ｃを示す底面図である。
【００６０】
図２９および図３０に示すように、取付カバー２０Ｆにおいては、その周縁（ここでは、矩形環状に形成される嵌込部２３の角部）に、ガイド部２７（第１ガイド部）が形成される。ガイド部２７は、嵌込部２３の立設方向の先端から平板部２１にまで到達するように（図２９紙面垂直方向に）延在し、嵌込部２３の角部から押圧領域２５側に向かって略三角柱状に張り出している。
【００６１】
図３１に示すように、照明パネル３０Ｃにおいては、その周縁（ここでは、矩形状に形成される照明パネル３０Ｃの角部）に、ガイド部３７（第１ガイド部）が形成される。ガイド部３７は、面取り状に形成され、取付カバー２０Ｆにおけるガイド部２７の形状および位置に対応している。
【００６２】
本変形例における照明装置が組み立てられる際には、ガイド部２７およびガイド部３７が相互に対応するように（向かい合うように）、照明パネル３０Ｃが取付カバー２０Ｆの押圧領域２５上に載置される。照明パネル３０Ｃは、他の配置角度（位相）では取付カバー２０Ｆの押圧領域２５上に載置されない。照明パネル３０Ｃの取付カバー２０Ｆに対するいわゆる逆差しが防止され、本体１０（図示せず）側の電気接点４１（図示せず）および照明パネル３０Ｃ側の電気接点４２の極性が誤って接続されることがなく、照明パネル３０Ｃを取り付ける際および照明パネル３０Ｃを取り替える際における作業者の利便性を向上させることが可能となる。
【００６３】
（第９変形例）
図３２および図３３を参照して、上述の実施の形態１の第９変形例における照明装置について説明する。図３２は、本変形例における照明装置に用いられる取付カバー２０Ｇを示す底面図である。図３３は、本変形例における照明装置に用いられる照明パネル３０Ｄを示す底面図である。
【００６４】
図３２に示すように、取付カバー２０Ｇにおいては、その周縁（ここでは、矩形環状に形成される嵌込部２３の一辺）に、ガイド部２７（第２ガイド部）が形成される。ガイド部２７は、嵌込部２３の立設方向の先端から平板部２１にまで到達するように（図３２紙面垂直方向に）延在し、嵌込部２３の一辺から押圧領域２５側に向かって直方体状に張り出している。
【００６５】
図３３に示すように、照明パネル３０Ｄにおいては、その周縁（ここでは、矩形状に形成される照明パネル３０Ｄの一辺）に、ガイド部３７（第１ガイド部）が形成される。ガイド部３７は、切り欠かれるようにして形成され、取付カバー２０Ｇにおけるガイド部２７の形状および位置に対応している。
【００６６】
本変形例における照明装置が組み立てられる際には、上述の第８変形例（図２９〜図３１参照）と同様に、ガイド部２７およびガイド部３７が相互に対応するように（向かい合うように）、照明パネル３０Ｄが取付カバー２０Ｇの押圧領域２５上に載置される。照明パネル３０Ｄは、他の配置角度（位相）では取付カバー２０Ｇの押圧領域２５上に載置されない。照明パネル３０Ｄの取付カバー２０Ｇに対するいわゆる逆差しが防止され、本体１０（図示せず）側の電気接点４１（図示せず）および照明パネル３０Ｄ側の電気接点４２の極性が誤って接続されることがなく、照明パネル３０Ｄを取り付ける際および照明パネル３０Ｄを取り替える際における作業者の利便性を向上させることが可能となる。
【００６７】
（第１０変形例）
図３４および図３５を参照して、上述の実施の形態１の第１０変形例における照明装置について説明する。図３４は、本変形例における照明装置に用いられる取付カバー２０Ｈを示す底面図である。図３５は、本変形例における照明装置に用いられる照明パネル３０Ｅを示す底面図である。
【００６８】
図３４に示すように、取付カバー２０Ｈにおいては、その周縁（ここでは、矩形環状に形成される嵌込部２３の一辺）に、ガイド部２７（第１ガイド部）が形成される。ガイド部２７は、嵌込部２３の立設方向の先端から平板部２１にまで到達するように（図３４紙面垂直方向に）延在し、嵌込部２３の一辺から押圧領域２５とは反対側に向かって直方体状に切り欠かれるように形成される。
【００６９】
図３５に示すように、照明パネル３０Ｅにおいては、その周縁（ここでは、矩形状に形成される照明パネル３０Ｅの一辺）に、ガイド部３７（第２ガイド部）が形成される。ガイド部３７は、張り出すようにして形成され、取付カバー２０Ｈのガイド部２７の形状および位置に対応している。
【００７０】
本変形例における照明装置が組み立てられる際には、上述の第８変形例（図２９〜図３１参照）および上述の第９変形例（図３２および図３３）と同様に、ガイド部２７およびガイド部３７が相互に対応するように（向かい合うように）、照明パネル３０Ｅが取付カバー２０Ｈの押圧領域２５上に載置される。照明パネル３０Ｅは、他の配置角度（位相）では取付カバー２０Ｈの押圧領域２５上に載置されない。照明パネル３０Ｅの取付カバー２０Ｈに対するいわゆる逆差しが防止され、本体１０（図示せず）側の電気接点４１（図示せず）および照明パネル３０Ｅ側の電気接点４２の極性が誤って接続されることもなく、照明パネル３０Ｅを取り付ける際および照明パネル３０Ｅを取り替える際における作業者の利便性を向上させることが可能となる。
【００７１】
［実施の形態２］
図３６〜図３９を参照して、本実施の形態における照明装置２００（図３８および図３９参照）について説明する。図３６は、本実施の形態における照明装置２００に用いられる本体１０Ｍおよび取付カバー２０Ｍを示す正面図である。図３７は、図３６中のＸＸＸＶＩＩ−ＸＸＸＶＩＩ線に沿った矢視断面図である。図３８は、照明装置２００の組み立てられた状態（本体１０Ｍおよび取付カバー２０Ｍに対して照明パネル３０が取り付けられた状態）を示す正面図である。図３９は、図３８中のＸＸＸＩＸ−ＸＸＸＩＸ線に沿った矢視断面図である。
【００７２】
図３６および図３７に示すように、本体１０Ｍは、略三角柱状に形成され、相互に対向する端部１１（第１端部）および端部１２（第２端部）を有する。本体１０Ｍは、背面側の面を利用して、天井５０および側壁５１に対して固定されることができる。本体１０Ｍは、たとえばアルミニウムまたはステンレス等から構成される。
【００７３】
本体１０Ｍの載置面１５は、端部１１から端部１２に向かうにつれて凹状に湾曲して円弧状に形成される。載置面１５上の所定の位置には、一対の電気接点４１（第１電気接点）が設けられる。電気接点４１は、照明パネル３０（図３８および図３９参照）が本体１０Ｍに取り付けられた際に、照明パネル３０の電気接点（図示せず。上述の実施の形態１における電気接点４２に相当）と接触可能な位置に配設される。照明パネル３０の電気接点は、上述の実施の形態１の図１８のように、照明パネル３０の裏面上における周縁に沿って所定の長さで延在するように設けてもよい。載置面１５上における電気接点４１に対して照明パネル３０の電気接点が十分な長さを有していることによって、照明パネル３０が若干ずれて固定された場合であっても、電気接点４１と照明パネル３０の電気接点との間に良好な電気的接続を得ることが可能となる。
【００７４】
電気接点４１は、載置面１５から板バネ状に突出するように固定されるとよい。照明パネル３０が本体１０Ｍに取り付けられた際、照明パネル３０の電気接点と本体１０Ｍの電気接点４１との良好な電気的接続が得られる。電気接点４１は、本体１０Ｍを貫通して所定の電源装置（図示せず）に接続される。端部１１には、複数の支持具２８が並んで設けられる。端部１２には、各支持具２８に対向する位置に、複数の支持具２９が並んで設けられる。
【００７５】
取付カバー２０Ｍは、矩形状の透明なアクリル樹脂またはポリカーボネート等、透明で弾性変形可能な素材から構成され、支持具２８および支持具２９の間に橋渡状に設けられる。支持具２８は取付カバー２０Ｍを回動可能に支持し、支持具２９も取付カバー２０Ｍを回動可能に支持する。取付カバー２０Ｍの厚さは、たとえば２ｍｍ〜３ｍｍである。取付カバー２０Ｍの長手方向の長さは、支持具２８および支持具２９との間の直線距離よりも長い。取付カバー２０Ｍの長手方向の長さは、載置面１５の同方向に沿った円弧状の部分の長さに略等しい。取付カバー２０Ｍの裏面側に、押圧領域２５（図３７参照）が規定される。
【００７６】
図３８および図３９を参照して、照明パネル３０は、上述の実施の形態１と同様に構成される。照明装置２００が組み立てられる際には、取付カバー２０Ｍと載置面１５とが離れた状態で、取付カバー２０Ｍと載置面１５との間に照明パネル３０が横方向から挿入される。次に、取付カバー２０Ｍは、端部１１および端部１２の間において載置面１５に沿うように、矢印ＡＲ５（図３７参照）方向に弾性変形される。
【００７７】
当該弾性変形によって、取付カバー２０Ｍの押圧領域２５は、照明パネル３０の発光面３３を本体１０Ｍの載置面１５に対して押し付ける。以上のようにして、図３８および図３９に示す照明装置２００が得られる。照明装置２００においては、本体１０Ｍに設けられた電気接点４１（図３６参照）および照明パネル３０に設けられた電気接点（図示せず）を通して、外部の電源装置（図示せず）から照明パネル３０の発光面３３に電力が供給される。電力の供給によって発光面３３が発光し、照明装置２００は照明することが可能となる。なお、本実施の形態では、支持具２８および支持具２９の間において橋渡状に設けられた複数の取付カバー２０Ｍが一定の間隔を空けて配置され、発光面３３に対応する部分を本体１０Ｍの載置面１５に対して押し付けて保持しているが、発光面３３に対する取付カバー２０Ｍの幅、個数、配置位置、または形状などは、発光面３３を押圧して形状を保持できる範囲で、適宜決定するとよい。また、操作性に支障が無ければ、上述の実施の形態１における図１に示すように取付カバー２０Ｍが一枚に形成されて発光面３３の全体を押圧するように構成されてもよいし、上述の実施の形態１の第１変形例における図１１に示すように取付カバー２０Ｍは格子状に構成されても良い。
【００７８】
（作用・効果）
シート状の照明パネル３０は、照明パネル３０自身の重さ（自重）によって重力方向（図３９紙面下方向）に撓む場合がある。本実施の形態における照明装置２００によれば、照明パネル３０の発光面３３が、取付カバー２０Ｍの押圧領域２５によって載置面１５に押し付けられる。発光面３３は、押圧領域２５と載置面１５とによって挟みこまれた状態でその形状が保持される。
【００７９】
発光面３３は、押圧領域２５から受ける押圧によって撓むことがなく、予め設計によって定められた形状を保持することが可能となる。発光面３３は、予め設計によって定められた配光特性を実現することが可能となり、発光面３３からの照射方向に応じて、光の強さにばらつき（ムラ）が生じる虞もない。
【００８０】
照明装置２００は、照明パネル３０が本体１０Ｍおよび取付カバー２０Ｍによって挟み込まれることで固定される。照明パネル３０が、たとえば長手方向において予め設計された寸法と異なる寸法で作成された場合であっても、照明パネル３０は表裏面からの押圧によって本体１０Ｍおよび取付カバー２０Ｍに対して固定されるため、シワが発生することがない。
【００８１】
照明パネル３０には、製造時における残留応力などによって反りが生じている場合がある。この場合であっても、照明装置２００が組み立てられた状態においては、当該反りは押圧領域２５と載置面１５とによる照明パネル３０に対する押圧によって矯正される。発光面３３は、載置面１５および押圧領域２５の形状に沿って変形（矯正）される。発光面３３は、予め設計によって定められた形状に保持され、所望の発光特性を実現することが可能となる。
【００８２】
［実施の形態２の変形例］
図４０および図４１を参照して、上述の実施の形態２の変形例における照明装置２０１について説明する。図４０は、照明装置２０１を示す正面図である。図４１は、図４０中のＸＬＩ−ＸＬＩ線に沿った矢視断面図である。
【００８３】
照明装置２０１においては、取付カバー２０Ｎの一端が支持具２８にのみ常時取り付けられており、取付カバー２０Ｎの一部（ここでは取付カバー２０Ｎの他端）と支持具２９Ａとは着脱可能に構成される。取付カバー２０Ｎの他端は、矢印ＡＲ６（図４１参照）に示すように、支持具２９Ａに設けられた凹部２９Ｋに着脱可能に嵌め込まれることができる。
【００８４】
照明パネル３０を取り付ける際および照明パネル３０を取り替える際には、取付カバー２０Ｎの他端は、支持具２９Ａから外される。取付カバー２０Ｎの一端のみが本体１０（支持具２８）に対して取り付けられ、取付カバー２０Ｎは支持具２８から垂れ下がる（図４１中の点線参照）。この状態で、照明パネル３０は載置面１５に対して正面から取り付けられることが可能となる。
【００８５】
上述の実施の形態２における照明装置２００とは異なり、照明パネル３０は、載置面１５に対して横方向から挿入される必要はない。照明装置２０１によれば、照明パネル３０を取り付ける際および照明パネル３０を取り替える際における作業者の利便性を向上させることが可能となる。
【００８６】
以上、本発明に基づいた各実施の形態について説明したが、今回開示された各実施の形態はすべての点で例示であって制限的なものではない。本発明の技術的範囲は請求の範囲によって示され、請求の範囲と均等の意味および範囲内でのすべての変更が含まれることが意図される。
【符号の説明】
【００８７】
１０，１０Ｍ  本体、１１  端部（第１端部）、１２  端部（第２端部）、１３，１４  端部、１５  載置面、１６  環状溝、１７，１７Ａ  保持部材、１７Ｃ  コイルバネ、１７Ｋ  係合部、１７Ｔ  先端部、１８，１８Ａ，２８，２９，２９Ａ  支持具、１９  切込部、２０，２０Ａ，２０Ｂ，２０Ｃ，２０Ｃ１，２０Ｃ２，２０Ｄ，２０Ｅ，２０Ｆ，２０Ｇ，２０Ｈ，２０Ｍ，２０Ｎ  取付カバー、２１  平板部、２２  透明板、２２Ａ  貫通孔、２２Ｂ  ワイヤー、２３  嵌込部、２４，２４Ａ  規制部材、２５  押圧領域、２６  仮固定部、２７  ガイド部（第２ガイド部）、２９Ｋ  凹部、３０，３０Ａ，３０Ｂ，３０Ｃ，３０Ｄ，３０Ｅ  照明パネル、３１  表面、３２  裏面、３３  発光面、３７  ガイド部（第１ガイド部）、４１  電気接点（第１電気接点）、４２  電気接点（第２電気接点）、５０  天井、５１  側壁、１００，２００，２０１  照明装置、ＡＲ１，ＡＲ２，ＡＲ３，ＡＲ４，ＡＲ５，ＡＲ６  矢印、Ｌ１  間隔、Ｌ２  厚さ。
【図１】
2012114887.tif 000003
【図２】
2012114887.tif 000004
【図３】
2012114887.tif 000005
【図４】
2012114887.tif 000006
【図５】
2012114887.tif 000007
【図６】
2012114887.tif 000008
【図７】
2012114887.tif 000009
【図８】
2012114887.tif 000010
【図９】
2012114887.tif 000011
【図１０】
2012114887.tif 000012
【図１１】
2012114887.tif 000013
【図１２】
2012114887.tif 000014
【図１３】
2012114887.tif 000015
【図１４】
2012114887.tif 000016
【図１５】
2012114887.tif 000017
【図１６】
2012114887.tif 000018
【図１７】
2012114887.tif 000019
【図１８】
2012114887.tif 000020
【図１９】
2012114887.tif 000021
【図２０】
2012114887.tif 000022
【図２１】
2012114887.tif 000023
【図２２】
2012114887.tif 000024
【図２３】
2012114887.tif 000025
【図２４】
2012114887.tif 000026
【図２５】
2012114887.tif 000027
【図２６】
2012114887.tif 000028
【図２７】
2012114887.tif 000029
【図２８】
2012114887.tif 000030
【図２９】
2012114887.tif 000031
【図３０】
2012114887.tif 000032
【図３１】
2012114887.tif 000033
【図３２】
2012114887.tif 000034
【図３３】
2012114887.tif 000035
【図３４】
2012114887.tif 000036
【図３５】
2012114887.tif 000037
【図３６】
2012114887.tif 000038
【図３７】
2012114887.tif 000039
【図３８】
2012114887.tif 000040
【図３９】
2012114887.tif 000041
【図４０】
2012114887.tif 000042
【図４１】
2012114887.tif 000043
【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
可撓性を有し、電力が供給されることによって発光する発光面が表面に設けられたシート状の照明パネルと、
前記照明パネルを載置する載置面を含む本体と、
前記本体に取り付けられ、前記本体との間で前記照明パネルを挟持する取付カバーと、を備え、
前記取付カバーは、前記取付カバーが前記本体に取り付けられた状態において、前記照明パネルの前記発光面を押圧する押圧領域を有し、
前記取付カバーの前記押圧領域が前記照明パネルの前記発光面を押圧することにより、前記照明パネルは前記本体の前記載置面に対して押し付けられる、
照明装置。
【請求項２】
前記本体は、前記取付カバーを前記本体に取り付ける支持手段を有し、
前記支持手段が前記本体に対して前記取付カバーを押圧することにより、前記取付カバーの前記押圧領域が前記発光面を押圧する、
請求項１に記載の照明装置。
【請求項３】
前記取付カバーは、前記本体に取り付けられた状態において前記照明パネルの前記発光面をカバーする透明領域と、前記透明領域の外縁に位置する外縁部とを含み、
前記取付カバーの前記押圧領域は前記透明領域に含まれ、
前記支持手段が前記照明パネルの前記外縁部を前記本体に対して押圧することにより、前記押圧領域が前記照明パネルの前記発光面を押圧する、
請求項２に記載の照明装置。
【請求項４】
前記支持手段は、前記取付カバーを保持する保持部材と前記保持部材を前記取付カバーに対して付勢する付勢部とを有し、
前記付勢部が前記保持部材を前記取付カバーに対して付勢することによって、前記取付カバーの前記押圧領域が前記照明パネルの前記発光面を押圧する、
請求項２または３に記載の照明装置。
【請求項５】
前記押圧領域は、前記発光面の全体を押圧する、
請求項１から４のいずれか１項に記載の照明装置。
【請求項６】
前記押圧領域は、前記発光面の一部を前記載置面に対して押し付ける、
請求項１から４のいずれか１項に記載の照明装置。
【請求項７】
前記押圧領域は、格子状に形成されている、
請求項６に記載の照明装置。
【請求項８】
前記本体の前記載置面上に、電源からの電力の供給を受けるための第１電気接点が設けられ、
前記照明パネルの裏面上に、前記第１電気接点から電力の供給を受けて、前記照明パネルの前記発光面に電力を供給するための第２電気接点が設けられ、
前記第１電気接点および前記第２電気接点は、前記照明パネルが前記本体に取り付けられた際に相互に接触する位置にそれぞれ配置されている、
請求項１から７のいずれか１項に記載の照明装置。
【請求項９】
前記第２電気接点は、前記照明パネルの前記裏面上における周縁に沿って所定の長さで延在するように設けられている、
請求項８に記載の照明装置。
【請求項１０】
前記照明パネルの周縁には第１ガイド部が設けられ、
前記取付カバーには前記第１ガイド部に対応する形状を有する第２ガイド部が設けられ、
前記第１ガイド部が前記第２ガイド部に対応するように配置された状態で、前記照明パネルは前記取付カバーに取り付けられる、
請求項１から６のいずれか１項に記載の照明装置。
【請求項１１】
前記取付カバーの周縁には、前記押圧領域上に載置された前記照明パネルを仮固定する仮固定部が設けられている、
請求項１から１０のいずれか１項に記載の照明装置。
【請求項１２】
前記本体の前記照明パネル側の面には環状溝が設けられ、
前記取付カバーの前記照明パネル側の面には嵌込部が設けられ、
前記環状溝に前記嵌込部を嵌め込むことによって、前記本体に対して前記取付カバーが固定され、前記押圧領域が前記照明パネルを前記載置面に対して押し付ける、
請求項１から１１のいずれか１項に記載の照明装置。
【請求項１３】
前記取付カバーの一部は、前記本体に固定されている、
請求項１から１２のいずれか１項に記載の照明装置。
【請求項１４】
前記取付カバーは、前記本体に固定されている部分を中心に回動可能であり、
前記取付カバーと前記本体との角度が所定の値以下となるように前記取付カバーの回動を規制する規制部材をさらに備える、
請求項１３に記載の照明装置。
【請求項１５】
前記本体の前記載置面は、相互に対向する第１端部および第２端部を含み、前記第１端部から前記第２端部に向かって凹状に湾曲した形状を有し、
前記取付カバーは、前記照明パネルが前記本体に取り付けられた状態において、前記第１端部および前記第２端部の間において前記載置面に沿うように弾性変形することによって、前記取付カバーの前記押圧領域が前記照明パネルの前記発光面を押圧し、前記照明パネルは前記載置面に対して押し付けられる、
請求項１に記載の照明装置。
【請求項１６】
前記取付カバーは、前記照明パネルを前記本体から取り外す際には、前記取付カバーが前記第１端部および前記第２端部の間において前記載置面から離れる方向に弾性変形することによって、前記取付カバーの前記押圧領域が前記照明パネルの前記発光面を押圧することを解除する、
請求項１５に記載の照明装置。
【請求項１７】
前記取付カバーの一端は前記本体に固定され、
前記取付カバーの他端は前記本体から着脱可能である、
請求項１６に記載の照明装置。
【請求項１８】
前記照明パネルの前記発光面は、有機ＥＬ素子から構成される、
請求項１から１７のいずれか１項に記載の照明装置。
【手続補正２】
【補正対象書類名】明細書
【補正対象項目名】００１６
【補正方法】変更
【補正の内容】
【００１６】
図１および図２に示すように、対向する端部１１および端部１２には、２つの支持具１８（付勢部）がそれぞれ並んで設けられる。支持具１８には、Ｌ字状の保持部材１７が回動可能に取り付けられる。支持具１８の内部にはコイルバネ等の付勢手段が内蔵される。支持具１８に取り付けられた保持部材１７は、コイルバネ等の付勢手段の作用によって、載置面１５側に向かって回転するように矢印ＡＲ２（図２参照）方向に付勢される。保持部材１７および支持具１８は支持手段として機能する。
【手続補正３】
【補正対象書類名】明細書
【補正対象項目名】００１８
【補正方法】変更
【補正の内容】
【００１８】
平板部２１（外縁部）の内周側には、ガラスまたはアクリル樹脂等から構成される矩形状の透明板２２（透明性を有する部材）（透明領域）が設けられる。透明板２２の厚さはたとえば２ｍｍ〜３ｍｍである。透明板２２の裏面側（嵌込部２３が立設される側）に押圧領域２５が規定される。押圧領域２５の表面形状（透明板２２の裏面形状）は、載置面１５の表面形状に対応している。照明装置１００が組み立てられた状態においては、押圧領域２５は照明パネル３０の発光面３３の全体を、本体１０の載置面１５に対して押し付ける。
【手続補正４】
【補正対象書類名】明細書
【補正対象項目名】００４７
【補正方法】変更
【補正の内容】
【００４７】
（第４変形例）
図１８は、上述の実施の形態１の第４変形例における照明装置に用いられる照明パネル３０Ａを示す底面図である。図１８は、上述の実施の形態１における図６に対応している。本変形例における照明パネル３０Ａにおいては、一対の電気接点４２が、照明パネル３０Ａの裏面３２上における周縁に沿って所定の長さで延在するように設けられる。
【手続補正５】
【補正対象書類名】明細書
【補正対象項目名】００６０
【補正方法】変更
【補正の内容】
【００６０】
図２９および図３０に示すように、取付カバー２０Ｆにおいては、その周縁（ここでは、矩形環状に形成される嵌込部２３の角部）に、ガイド部２７（第２ガイド部）が形成される。ガイド部２７は、嵌込部２３の立設方向の先端から平板部２１にまで到達するように（図２９紙面垂直方向に）延在し、嵌込部２３の角部から押圧領域２５側に向かって略三角柱状に張り出している。
【手続補正６】
【補正対象書類名】明細書
【補正対象項目名】００６８
【補正方法】変更
【補正の内容】
【００６８】
図３４に示すように、取付カバー２０Ｈにおいては、その周縁（ここでは、矩形環状に形成される嵌込部２３の一辺）に、ガイド部２７（第２ガイド部）が形成される。ガイド部２７は、嵌込部２３の立設方向の先端から平板部２１にまで到達するように（図３４紙面垂直方向に）延在し、嵌込部２３の一辺から押圧領域２５とは反対側に向かって直方体状に切り欠かれるように形成される。
【手続補正７】
【補正対象書類名】明細書
【補正対象項目名】００６９
【補正方法】変更
【補正の内容】
【００６９】
図３５に示すように、照明パネル３０Ｅにおいては、その周縁（ここでは、矩形状に形成される照明パネル３０Ｅの一辺）に、ガイド部３７（第１ガイド部）が形成される。ガイド部３７は、張り出すようにして形成され、取付カバー２０Ｈのガイド部２７の形状および位置に対応している。
【国際調査報告】
2012114887.tif 000044
2012114887.tif 000045
2012114887.tif 000046
2012114887.tif 000047